(57)【要約】【課題】  非接触情報媒体の電源の電圧状態を簡便な手法で通知する。【解決手段】  電力供給をする電源１と、所定の周波数の搬送波を介してＩＤデータを送信する送信部２と、電源１の電圧値を所定の基準電圧と比較する電圧比較部５と、電圧比較部５による比較結果に応じて、電源１の電圧状態を示す電圧情報を生成し、この電圧情報を、送信部２で送信するデータに添付して送信するように制御するＣＰＵ６とを備えることで実現する。【選択図】  図１
2005251103.tif 000002
【特許請求の範囲】
【請求項１】
データ送信に使用する電力を供給する電源と、
前記電源の電力供給を受けて、前記電源の電力切れを示すビット領域を含むデータを無線送信する送信手段と、
前記電源の電圧値を所定の基準電圧と比較して、前記電源の電圧値が前記基準電圧よりも高いか否かを示す比較結果を生成する電圧比較手段と、
前記電圧比較手段による比較結果に応じてビット領域の値を変化させるデータ生成手段と、
前記データ生成手段により生成されたデータを送信するように前記送信手段を制御する送信制御手段と
を備えることを特徴とする非接触情報媒体。
【請求項２】
前記電源とは別個に設けられ、前記送信手段により少なくとも１回のデータ送信を行う電力を供給する補助電源と、
前記電圧比較手段による比較結果に応じて、前記送信手段で使用する電力を前記電源から前記補助電源へと切り替える切り替え手段と
を備えることを特徴とする請求項１に記載の非接触情報媒体。
【請求項３】
前記補助電源は、コンデンサであることを特徴とする請求項２に記載の非接触情報媒体。
【請求項４】
前記補助電源は、太陽電池であることを特徴とする請求項２に記載の非接触情報媒体。
【請求項５】
データ送信に使用する電力を供給する電源と、
前記電源の電力供給を受けて、データを無線送信する第１送信手段と、
外部から送信された電波の電力を使用して、データを無線送信する第２送信手段と、
前記電源の電圧値を所定の基準電圧と比較して、前記電源の電圧値が前記基準電圧よりも高いか否かを示す比較結果を生成する電圧比較手段と、
前記電圧比較手段により前記電源の電圧値が前記基準電圧より高くないと判定された場合に、前記第１送信手段を停止させ、前記第２送信手段を動作させるように制御する制御手段と
を備えることを特徴とする非接触情報媒体。
【請求項６】
外部から送信された電波の電力を使用して、データを無線送信する第３送信手段を更に備えることを特徴とする請求項５に記載の非接触情報媒体。
【請求項７】
非接触情報媒体と、前記非接触情報媒体との無線通信により入域者の入域管理をする管理装置とを備える入域管理システムであって、
前記非接触情報媒体は、データ送信に使用する電力を供給する電源と、前記電源の電力供給を受けて、データを無線送信する第１送信手段と、外部から送信された電波の電力を使用して、データを無線送信する第２送信手段と、前記電源の電圧値を所定の基準電圧と比較して、前記電源の電圧値が前記基準電圧よりも高いか否かを示す比較結果を生成する電圧比較手段と、前記電圧比較手段により前記電源の電圧値が前記基準電圧より高くないと判定された場合に、前記第１送信手段を停止させ、前記第２送信手段を動作させるように制御する制御手段とを備え、
前記管理装置は、前記第１送信手段と無線通信をする第１無線通信手段と、前記第２送信手段と無線通信をする第２無線通信手段と、入域者が接近したことを感知するセンサと、前記センサによって、前記入域者の接近を感知した後に前記第１送信手段との無線通信が失敗した場合、前記第２送信手段との無線通信を開始するよう制御する入域制御手段とを備えることを特徴とする入域管理システム。
【請求項８】
前記非接触情報媒体は、外部から送信された電波の電力を使用して、データを無線送信する第３送信手段を更に備え、
前記管理装置は、前記第３送信手段からのみのデータを受信した場合に、前記第１送信手段又は前記第２送信手段の故障を検出することを特徴とする請求項７に記載の入域管理システム。
【請求項９】
前記入域制御手段は、前記第１送信手段との無線通信が失敗した場合に、前記第２送信手段の通信範囲に近づくように入域者に警告した後に前記第２送信手段との無線通信を開始するよう制御し、前記第２送信手段からの応答を前記第２無線通信手段により検出した場合には正当な入域者であると判定し、前記第２送信手段からの応答を前記第２無線通信手段により検出しない場合には不当な入域者であると判定することを特徴とする請求項７に記載の入域管理システム。
【発明の詳細な説明】
【技術分野】
【０００１】
本発明は、非接触ＩＣ（Integrated Circuit）タグといった非接触情報媒体を用いたＲＦＩＤ（Radio Frequency ＩＤentification）に関するものであり、詳しくは、予め備えられた電源からの電力によって駆動するアクティブ型の非接触ＩＣタグにおいて、電力供給不能状態を的確に通知する非接触情報媒体、及びこの非接触情報媒体を用いた入域管理システムに関する。
【背景技術】
【０００２】
従来より、非接触ＩＣカードや、非接触ＩＣタグといった非接触情報媒体を用いた通信システムであるＲＦＩＤシステムが知られている。このＲＦＩＤシステムは、非接触情報媒体に内蔵されているＩＣチップと、リーダライタとの間で情報通信がなされるものであり、例えば、駅の自動改札や、図書館における書籍の貸し出し、商品の在庫管理などに利用されており、今後も様々な分野で個人情報、商品情報のやり取りに用いられることが予想される。具体的には、非接触情報媒体を特定する識別情報を用いて、上述したようなサービスや情報管理を実施するためのシステムが構築されている。
【０００３】
このような非接触情報媒体は、当該非接触情報媒体を動作させるために予め駆動用の電源を備えたアクティブ型と、リーダライタから送信される電波を受信し、受信した電波から電磁誘導によって動作電力を得るパッシブ型とに大別される。
【０００４】
パッシブ型の非接触情報媒体は、外部から送信される電波から電力を取得しているため故障しない限りほぼ半永久的に動作が保証されることになる。一方、アクティブ型の非接触情報媒体は、電源を予め備えているため、電力を得るために電波を受信する必要がなく常時能動的な動作が可能であるが、電源として用いる電池が切れた場合には、完全に動作しなくなるといった問題がある。
【０００５】
このような問題に対処するには、電池を定期的に交換することが考えられる。しかし、電池の消耗度は、使用状況、使用環境などによって大きく影響されるため、交換時期の設定は非常に困難であり、実際にシステムで使用中に突然電池が切れてしまう場合も大いに考えられる。
【０００６】
このような問題を解決するために、非接触情報媒体側である応答器側を内蔵電池の電圧レベルによって異なる応答動作を行うように構成し、リーダライタである質問器からこの応答器に対して書き込みデータを送信して、書き込まれたデータに対する応答器の応答動作の違いに応じて応答器側の電池切れを判定するといった手法が開示されている（例えば、特許文献１参照。）。
【０００７】
また、非接触情報媒体であるＩＤ（ＩＤentification）タグに搭載されている電池の消耗度を、第１送信手段による送信回数をカウントすることで測定し、測定結果に応じて第１の送信手段よりも消費電力の少ない第２送信手段を動作させることで外部に電池の消耗度を通知するといった手法が開示されている（例えば、特許文献２参照。）。
【０００８】
【特許文献１】特開平９−２９７８２６号公報
【特許文献２】特開２００３−１４１４６２号公報
【発明の開示】
【発明が解決しようとする課題】
【０００９】
しかしながら、特許文献１で開示された手法は、電池切れを判定するためだけに、書き込みデータの受信、受信した書き込みデータに対する応答といった通信が必要になる。したがって、電池切れ状態を知るまでに、ある程度の時間を必要としてしまうといった問題がある。また、非接触情報媒体である応答器に、データを書き込む機能が必ず備えられている場合でないと利用できないため、適用範囲が非常に限定的になってしまうといった問題もある。
【００１０】
また、特許文献２で開示された手法は、電池の消耗度を通知するために、ある程度のビット数を持った電池消耗をしたことを示す識別情報を送信するため、電池の消耗を早めてしまうといった問題や、送信回数をカウントするためのカウンタを必要とするなど、装置構成が大がかりになってしまうといった問題などがある。
【００１１】
そこで、本発明は、上述したような問題を解決するために案出されたものであり、電池切れ状態を通知するために余分な通信を行ったり、長いデータ長のデータを送信することなく、アクティブ型の非接触情報媒体の電池切れを、事前にユーザ或いはシステム自体に通知する非接触情報媒体、この非接触情報媒体を用いた入域管理システムを提供することを目的とする。
【課題を解決するための手段】
【００１２】
本発明に係る非接触情報媒体は、データ送信に使用する電力を供給する電源と、電源の電力供給を受けて、電源の電力切れを示すビット領域を含むデータを無線送信する送信手段と、電源の電圧値を所定の基準電圧と比較して、電源の電圧値が基準電圧よりも高いか否かを示す比較結果を生成する電圧比較手段と、電圧比較手段による比較結果に応じてビット領域の値を変化させるデータ生成手段と、データ生成手段により生成されたデータを送信するように送信手段を制御する送信制御手段とを備えることにより、上述の課題を解決する。
【００１３】
本発明に係る他の非接触情報媒体は、データ送信に使用する電力を供給する電源と、電源の電力供給を受けて、データを無線送信する第１送信手段と、外部から送信された電波の電力を使用して、データを無線送信する第２送信手段と、電源の電圧値を所定の基準電圧と比較して、電源の電圧値が基準電圧よりも高いか否かを示す比較結果を生成する電圧比較手段と、電圧比較手段により電源の電圧値が基準電圧より高くないと判定された場合に、第１送信手段を停止させ、第２送信手段を動作させるように制御する制御手段とを備えることにより、上述の課題を解決する。
【００１４】
本発明に係る入域管理システムは、非接触情報媒体と、非接触情報媒体との無線通信により入域者の入域管理をする管理装置とを備える入域管理システムであって、非接触情報媒体は、データ送信に使用する電力を供給する電源と、電源の電力供給を受けて、データを無線送信する第１送信手段と、外部から送信された電波の電力を使用して、データを無線送信する第２送信手段と、電源の電圧値を所定の基準電圧と比較して、電源の電圧値が基準電圧よりも高いか否かを示す比較結果を生成する電圧比較手段と、電圧比較手段により電源の電圧値が基準電圧より高くないと判定された場合に、第１送信手段を停止させ、第２送信手段を動作させるように制御する制御手段とを備え、管理装置は、第１送信手段と無線通信をする第１無線通信手段と、第２送信手段と無線通信をする第２無線通信手段と、入域者が接近したことを感知するセンサと、センサによって、入域者の接近を感知した後に第１送信手段との無線通信が失敗した場合、第２送信手段との無線通信を開始するよう制御する入域制御手段とを備えることにより、上述の課題を解決する。
【発明の効果】
【００１５】
本発明に係る非接触情報媒体によれば、非接触情報媒体が有する電源の電圧値を所定の基準電圧と比較して、電源の電圧値が基準電圧よりも高くない場合に、ビット領域の値を変化させたデータを送信するので、電源の電力切れが起こった場合であっても無駄な送受信をせずに、外部装置に電源の電圧状態を通知することができる。したがって、非接触情報媒体を利用した各種サービス又は情報管理などの機能が停止してしまう前に電圧低下を通知し、電源の交換を促すことができるため、システムの円滑な運用を促進することが可能となる。
【００１６】
また、本発明に係る非接触情報媒体によれば、電源で動作する送信手段の他に、電波受信により電力を得る第２送信手段を備え、電源の電圧値と基準電圧との比較結果に応じて、第１送信手段に代えて第２送信手段を動作させることができるので、第２送信手段により、電源の電圧低下を確実に外部装置へ通知することが可能となる。
【００１７】
更に、本発明の入域管理システムによれば、電源で動作する第１送信手段の他に、電波受信により電力を得る第２送信手段を備えた非接触情報媒体と、管理装置とを用いて構築され、管理装置は、入域管理される空間に入域者が近づいたことをセンサによって検出した後、第１送信手段及び第２送信手段のいずれも反応がなかった場合に、センサに反応した人を不審人物と判定することができ、非常に簡便な構成の非接触情報媒体を用いて、確実に不審人物を通知することが可能となる。
【発明を実施するための最良の形態】
【００１８】
以下、本発明に係る非接触情報媒体、入域管理システムを実施するための最良の形態を図面を参照して詳細に説明する。
【００１９】
［第１実施形態］
まず、図１を用いて、本発明の第１実施形態として示すアクティブタグ１０について説明をする。このアクティブタグ１０は、通信相手となる電波送受信部を備えた親機である管理装置が設けられた室内において、当該親機と無線通信をする入域管理システムに使用される。このアクティブタグ１０は、管理装置に自己を特定する識別データであるＩＤ（ＩＤentification）等を含むＩＤデータを無線信号として送信することで、管理装置に管理させる。
【００２０】
アクティブタグ１０は、図１に示すように、アクティブ型の非接触情報媒体であり、当該アクティブタグ１０を動作させるための電源である電池電源１と、図示しない外部装置である管理装置に対して所定周波数の搬送波によってＩＤデータを送信する送信手段である送信部２及びアンテナ３と、当該アクティブタグ１０を一意に特定するための識別ＩＤなどが格納されたメモリ４と、電池電源１の電圧値を所定の基準電圧と比較するための電圧比較手段である電圧比較部５と、当該アクティブタグ１０を統括的に制御することで、データ生成手段及び送信制御手段として機能するＣＰＵ（Central Processing Unit）６とを備えている。
【００２１】
このようなアクティブタグ１０は、動作時において、メモリ４に格納されたＩＤを含むＩＤデータをＣＰＵ６により作成し、送信部２により変調処理を行ってアンテナ３を介して送信する。このとき、アクティブタグ１０は、電池電源１からの電力供給を送信部２及びＣＰＵ６で受けることにより動作する。
【００２２】
電池電源１は、アクティブタグ１０がＩＤデータ送信をする放電時間と共に電圧値が図２に示すように変化する放電特性を有しており、この電池電源１の電圧値によってアクティブタグ１０の動作が以下に示すように変化することになる。
【００２３】
アクティブタグ１０は、電池電源１の電圧が、放電時間がｔ１である時のｖ１以上である場合、メモリ４に格納されたＩＤなどの送信が十分可能な動作可能状態である。また、電池電源１の電圧が、放電時間がｔ１より長いｔ２である時のｖ２以上、ｖ１未満の場合には、送信部２を動作させることは可能であるが、前記通常動作を安定して行うことができない通常動作不能状態となる。さらに、電池電源１の電圧がｖ２未満となった場合には、送信部２からＩＤデータを送信する電力が無い停止状態、すなわち電力切れ状態となる。通常動作不能状態、停止状態は、どちらもＩＤデータ送信を正常に行うことができない状態である。このｖ１，ｖ２は、電圧比較部５において、電池電源１の電圧状態を判定するための比較基準となる基準電圧である。
【００２４】
電圧比較部５は、電池電源１の電圧値と、上述した基準電圧であるｖ１，ｖ２とを比較して、比較結果をＣＰＵ６に通知する。電圧比較部５の具体的な実現手段として、以下の図３、図４に示すような回路構成が考えられる。
【００２５】
図３に示す電圧比較部５は、２つの抵抗を用いた分圧回路と、ＣＰＵ６のＡＤコンバータとによって電圧比較をする構成となっている。すなわち、２つの抵抗によって形成される分圧回路によって基準電圧を設定し、その電圧をＣＰＵ６のＡＤコンバータに取り込んで比較する。このような構成により、電圧比較部５は、電池電源１の電圧値が低下すれば、この基準電圧も低下する。
【００２６】
図４に示す電圧比較部５は、コンパレータ１１によって電圧比較をする構成となっている。具体的には、定電流回路１２及びツェナダイオード１３で検出電圧を設定し、電池電源１の電圧を抵抗１４，１５で分圧してコンパレータ１１の出力レベルをＣＰＵ６のＩ／Ｏ端子に出力して電圧比較結果を通知している。
【００２７】
ＣＰＵ６は、電圧比較部５から通知された比較結果に応じて、アンテナ３を介して送信部２から送信されるデータ列の１ビットだけを変化させて、電池電源１の電圧状態を図しない外部装置である管理装置などに通知する。アクティブタグ１０は、図示しない管理装置とシステムを構築した場合、例えば一定時間毎に、メモリ４に格納された識別ＩＤを読み出して、アンテナ３を介して送信部２から管理装置に送信するといった動作を実行することになる。したがって、ＣＰＵ６は、この識別ＩＤを送信するデータ列に１ビットだけ、つまり、“０”又は“１”といった２値データを付加することで、管理装置といった外部の装置に電池電源１の電圧状態を通知する。
【００２８】
次に、図５に示すフローチャートを用いて、アクティブタグ１０の動作について説明をする。
【００２９】
ステップＳ１において、電圧比較部５は、電池電源１の電圧値と、基準電圧ｖ１とを比較して、比較結果をＣＰＵ６に通知する。電圧値がｖ１以上であって電池電源１が電力切れではない場合は、処理をステップＳ２へと進め、ｖ１未満であって電池電源１が電力切れである場合には、処理をステップＳ３へと進める。
【００３０】
ステップＳ２において、ＣＰＵ６は、電圧比較部５によって通知された比較結果が電池電源１の電圧状態がｖ１以上であることに応じて、メモリ４から読み出した識別ＩＤに、電力切れか否かを示す１ビット領域を付加したＩＤデータを生成する。例えば、電池電源１の電圧状態がｖ１以上であり、上述した通常動作可能状態であることを通知する場合には、付加する１ビットデータを“１”とする。
【００３１】
ステップＳ３において、ＣＰＵ６は、電圧比較部５によって通知された比較結果から電池電源１の電圧状態がｖ１未満であることに応じて、メモリ４から読み出した識別ＩＤに、電力切れか否かを示す１ビット領域を付加したＩＤデータを生成する。例えば、電池電源１の電圧状態がｖ１未満であり、上述した通常動作不能状態であることを通知する場合には、付加する１ビット領域を“０”とする。
【００３２】
次のステップＳ４において、ＣＰＵ６は、送信部２を制御して、生成したＩＤデータをアンテナ３を介して、外部装置である管理装置に送信させる。管理装置は、送信されたＩＤデータに付加された１ビット領域が“１”である場合には、通常動作可能状態であるため、電池電源１の交換を不要であるとみなすことができる。また、１ビット領域が“０”である場合には、通常動作不能状態或いは停止状態であるため電池電源１を早急に交換する必要があると判断することができる。
【００３３】
ステップＳ５において、電圧比較部５は、電池電源１の電圧値と、基準電圧ｖ２とを比較し、比較結果をＣＰＵ６に通知する。ＣＰＵ６は、電圧比較部５より、電池電源１の電圧値が、基準電圧ｖ２以上である場合は、処理をステップＳ１へと戻す。また、電池電源１の電圧値が、基準電圧ｖ２未満である場合、送信部２を動作することができないためアクティブタグ１０は実質、停止状態となる。
【００３４】
このようにして、アクティブタグ１０は、送信部２が完全に機能しない停止状態となる前段、すなわちＩＤデータを少なくとも１回は送信可能な電圧ｖ１となった時点で、電池電源１の交換要請を外部装置の管理装置に通知することができる。また、このアクティブタグ１０によれば、電池電源１の電圧が低下した場合に、ＩＤデータに負荷する１ビットのみを変化させるのみで電池電源１の交換を通知することができ、極力短いデータを使用して管理装置とデータの送受信をする処理を省くことができる。
【００３５】
［第２実施形態］
続いて、図６を用いて、本発明の第２実施形態として示すアクティブタグ２０について説明をする。図２に示すアクティブタグ２０は、図１で示したアクティブタグ１０に、さらに補助電源として、コンデンサ２１と、このコンデンサ２１と電池電源１とを切り替える電源切替部２２とを備えた構成となっている。また、アクティブタグ２０は、コンデンサ２１による電力供給を開始させるトリガーとなる入力検知部２３を備えている。
【００３６】
なお、アクティブタグ２０は、コンデンサ２１、電源切替部２２、入力検知部２３を備える以外は、上述したアクティブタグ１０と全く同じ構成であるため、重複する機能部については、同一符号を付し、説明を省略する。
【００３７】
コンデンサ２１は、電池電源１の電圧値がｖ１以上である時に充電され、電源切替部２２によって、電池電源１から切り替えられた際に、当該アクティブタグ２０を動作させる電源となる。コンデンサ２１は、当該アクティブタグ２０のサイズにもよるが、蓄積できる電荷の容量がかなり制限される。したがって、少なくとも外部の管理装置に対してＩＤデータを１度だけ送信できる程度の電気容量となっており、アクティブタグ２０は、このコンデンサ２１の電荷を用いて電池電源１の電圧値が停止状態となっていることを通知する。
【００３８】
電源切替部２２は、電圧比較部５による電池電源１の電圧値と基準電圧ｖ２との比較結果に応じて、電池電源１からコンデンサ２１へと、当該アクティブタグ２０を動作させる電源を切り替える。電源切替部２２によって、コンデンサ２１へ電源が切り替えられた場合、電池電源１は停止状態となっている。
【００３９】
入力検知部２３は、電池電源１からコンデンサ２１へと動作電源を切り替える電源切替部２２を動作させるトリガーとなるスイッチである。入力検知部２３で入力が検知されると電源切替部２２が動作して、上述したように電池電源１からコンデンサ２１へと動作電源が切り替わることになる。上述したように、コンデンサ２１の電気容量は、かなり制限され、電池電源１が停止状態であることを確実に管理装置に通知する必要がある。したがって、外部装置である管理装置との通信可能な領域において、この入力検知部２３が、入力を検知して始めてコンデンサ２１から送信部２、ＣＰＵ６へと電力供給がなされる。
【００４０】
図７に、入力検知部２３の一例を示す。例えば、図７に示すように、アクティブタグ２０を搭載するアクティブタグ用受信機２５が用意されているとする。このアクティブタグ用受信機２５は、アクティブタグ２０が所定の位置にセットされるように導くガイド２７を備えている。
【００４１】
一方、アクティブタグ２０内部には、押下することで動作するスイッチとして入力検知部２３が備えられている。アクティブタグ２０の筐体には、スイッチである入力検知部２３に通ずる開口部２４が形成されている。
【００４２】
図７に示すように、アクティブタグ用受信機２５に、このアクティブタグ２０がセットされると、アクティブタグ用受信機２５に備えられたピン２６が、アクティブタグ２０の開口部２４からスイッチである入力検知部２３を押下する。これにより、コンデンサ２１に蓄えられた電荷は、送信部２、ＣＰＵ６に供給され、停止状態を通知するＩＤデータがアンテナ３を介して、アクティブタグ用受信機２５を備える管理装置に送信されることになる。
【００４３】
続いて、図８に示すフローチャートを用いて、アクティブタグ２０の動作について説明をする。
【００４４】
このアクティブタグ２０の動作は、ステップＳ１１〜ステップＳ１４で上述したステップＳ１〜ステップＳ４と同様となっているが、電池電源１の電圧がｖ１以下に低下してＩＤデータに付加した１ビット領域を“０”とした後に、ステップＳ１５の判定を行う。
【００４５】
ステップＳ１５において、電圧比較部５は、電池電源１の電圧値と、基準電圧ｖ２とを比較し、比較結果をＣＰＵ６に通知する。ＣＰＵ６は、電圧比較部５より、電池電源１の電圧値が、基準電圧ｖ２以上である場合は、処理をステップＳ１７へと進める。また、電池電源１の電圧値が、基準電圧ｖ２未満である場合は、処理をステップＳ１６へと進める
基準電圧ｖ２未満である場合は、送信部２を動作することができないためアクティブタグ２０は実質、停止状態となっている。
【００４６】
ステップＳ１６において、入力検知部２３でトリガが検知されたかどうかが判定される。トリガが検知された場合は、電源切替部２２に電源切替要求がなされ、電池電源１からコンデンサ２１へと電源が切り替えられ、処理をステップＳ１７へと進める。コンデンサ２１へ電源が切り替えられると、送信部２を動作することができるようになる。また、入力検知部２３で入力が検知されない場合は、待機状態となる。
【００４７】
ステップＳ１７において、ＣＰＵ６は、送信部２を制御して、ステップＳ１３で生成したＩＤデータをアンテナ３を介して、外部装置である管理装置に送信をする。管理装置は、送信されたＩＤデータに付加された１ビット領域が、“０”である場合には、通常動作不能状態或いは停止状態であるため電池電源１を早急に交換する必要があると判断することができる。
【００４８】
このようにして、アクティブタグ２０は、送信部２が完全に機能を停止する停止状態となった場合でも、コンデンサ２１に蓄積された電荷によって送信部２を動作させて電池電源１の電圧の状態を付加したＩＤデータを送信することができるので、電池電源１の交換要請を外部装置の管理装置に通知することができる。
【００４９】
［第３実施形態］
続いて、図９を用いて、本発明の第３実施形態として示すアクティブタグ３０について説明をする。図９に示すアクティブタグ３０は、図１で示したアクティブタグ１０に、さらに補助電源として、太陽電池３１と、この太陽電池３１と電池電源１とを切り替える電源切替部３２とを備えた構成となっている。
【００５０】
なお、アクティブタグ３０は、太陽電池３１、電源切替部３２を備える以外は、上述したアクティブタグ１０と全く同じ構成であるため、重複する機能部については、同一符号を付し、説明を省略する。
【００５１】
アクティブタグ３０が備える太陽電池３１は、所定の光量がある環境下において、常に電力供給をすることができる。したがって、アクティブタグ３０は、第２実施形態として示したアクティブタグ２０の場合のように入力検出部２３を必要とせず、電圧比較部５の比較結果に応じて、電源を電池電源１から太陽電池３１に切り替えれば、送信部２を動作させることができる。
【００５２】
次に、図１０に示すフローチャートを用いて、アクティブタグ３０の動作について説明をする。
【００５３】
このアクティブタグ２０の動作は、ステップＳ２１〜ステップＳ２４で上述したステップＳ１〜ステップＳ４と同様となっているが、電池電源１の電圧がｖ１以下に低下してＩＤデータに付加した１ビット領域を“０”とした後に、ステップＳ２５の判定を行う。
【００５４】
ステップＳ２５において、電圧比較部５は、電池電源１の電圧値と、基準電圧ｖ２とを比較し、比較結果をＣＰＵ６に通知する。ＣＰＵ６は、電圧比較部５より、電池電源１の電圧値が、基準電圧ｖ２以上である場合は、処理をステップＳ２７へと進める。また、電池電源１の電圧値が、基準電圧ｖ２未満である場合は、処理をステップＳ２６へと進める。
【００５５】
基準電圧ｖ２未満である場合は、送信部２を動作することができないためアクティブタグ２０は実質、停止状態となっている。
【００５６】
ステップＳ２６において、電源切替部３２は、電源を電池電源１から太陽電池３１へと切り替える。太陽電池３１へ電源が切り替えられると、送信部２を動作させることができるようになる。
【００５７】
ステップＳ２７において、ＣＰＵ６は、送信部２を制御して、ステップＳ２３で生成したＩＤデータをアンテナ３を介して、外部装置である管理装置に送信をする。管理装置は、送信されたＩＤデータに付加された１ビット領域が“０”である場合には、通常動作不能状態或いは停止状態であるため電池電源１を早急に交換する必要があると判断することができる。ステップＳ２７が終了する処理は、ステップＳ２５へと戻る。
【００５８】
このようにして、アクティブタグ３０は、送信部２が完全に機能を停止する停止状態となった場合でも、太陽電池３１に蓄積された電荷によって送信部２を動作させて電池電源１の電圧の状態を付加したＩＤデータを送信することができるので、電池電源１の交換要請を外部装置の管理装置に通知することができる。
【００５９】
［第４実施形態］
続いて、図１１を用いて、本発明の第４実施形態として示すアクティブタグ４０について説明をする。図１１に示すアクティブタグ４０は、図１で示したアクティブタグ１０に、パッシブタイプの非接触情報媒体の機能を備えたパッシブタグ機能部４１を備えた構成となっている。このパッシブタグ機能部４１に対して、説明のため、電池電源１、送信部２、アンテナ３、メモリ４、電圧比較部５、ＣＰＵ６からなるアクティブタグ１０と同一の構成要素からなる機能部をアクティブタグ機能部７とする。
【００６０】
なお、アクティブタグ４０は、パッシブタグ機能部４１を備える以外は、上述したアクティブタグ１０と全く同じ構成であるため、重複する機能部については、同一符号を付し、説明を省略する。
【００６１】
パッシブタグ機能部４１は、送受信部４２と、アンテナ４３と、当該アクティブタグ４０を一意に特定するためのメモリ４に格納されている識別ＩＤと同じ識別ＩＤなどが格納されたメモリ４４と、タグ機能切替部４５とを備えている。
【００６２】
送受信部４２は、図示しない管理装置に対して所定の周波数の搬送波を介してアンテナ４３からＩＤデータを無線送信し、管理装置から送信され、アンテナ４３で受信した所定の周波数の搬送波から電磁誘導により電力を生成する。送受信部４２、アンテナ４３で生成された電力によって、パッシブタグ機能部４１は動作することになる。
【００６３】
タグ機能切替部４５は、例えば送受信部４２とアンテナ４３の接続、非接続を切り替えるスイッチ回路からなる。このタグ機能切替部４５は、電圧比較部５の比較結果に応じたＣＰＵ６の制御によって、アクティブタグ４０の機能をアクティブタグ機能部７からパッシブタグ機能部４１へと切り替える。
【００６４】
次に、図１２に示すフローチャートを用いて、アクティブタグ４０の動作について説明をする。アクティブタグ４０は、通常時、電池電源１によって動作するアクティブタグ機能部７が動作している。
【００６５】
ステップＳ３１において、電圧比較部５は、電池電源１の電圧値と、基準電圧ｖ１とを比較して、比較結果をＣＰＵ６に通知する。電圧値がｖ１以上である場合は、処理をステップＳ３２へと進め、ｖ１未満である場合には、処理をステップＳ３３へと進める。
【００６６】
ステップＳ３２において、ＣＰＵ６は、電圧比較部５によって通知された比較結果が電池電源１の電圧状態がｖ１以上であることに応じて、メモリ４から読み出した識別ＩＤに、１ビット領域を付加したＩＤデータを生成する。例えば、電池電源１の電圧状態がｖ１以上であり、上述した通常動作可能状態であることを通知する場合には、付加する１ビット領域を“１”とする。ステップＳ３２の処理が終了すると、処理はステップＳ３１へと戻る。なお、この第４実施形態では、１ビット領域を設けずに、ＩＤデータのみを送信する構成としても良い。
【００６７】
ステップＳ３３において、ＣＰＵ６は、パッシブタグ機能部４１のタグ機能切替部４５を制御して、当該アクティブタグ４０の機能をアクティブタグ機能部７からパッシブタグ機能部４１へと切り替え、パッシブタグ機能部４１を有効にする。
【００６８】
ステップＳ３４において、パッシブタグ機能部４１は、タグ機能切替部４５によって有効とされたことに応じて、管理装置から送信されるパッシブタグ機能部４１に対する質問電波の受信待機状態となる。パッシブタグ機能部４１が、この質問電波を受信した場合は、処理をステップＳ３５へと進んで、それ以外は、質問電波の待機状態となる。
【００６９】
ステップＳ３５において、パッシブタグ機能部４１は、アンテナ４３を介して管理装置からの質問電波を受信したことに応じて、電磁誘導により動作電力を得る。そして、メモリ４４から読み出した識別ＩＤに、１ビット領域を付加したＩＤデータを生成する。このとき、電池電源１の電圧状態がｖ１未満であり、アクティブタグ４０の機能がアクティブタグ機能部７からパッシブタグ機能部４１に移行していることから、管理装置に、通常動作不能状態或いは停止状態であることを通知するために、付加する１ビット領域を“０”とする。ステップＳ３５の処理が終了すると、処理はステップＳ３１へと戻る。
【００７０】
このようにして、アクティブタグ４０は、電池電源１の電圧値が低下して、電池電源１によって動作するアクティブタグ機能部７の動作が不安定になった場合、受信した電波から電磁誘導によって生成した電力で動作するパッシブタグ機能部４１に切り替わり、このパッシブタグ機能部４１によって電池電源１の交換要請を外部装置の管理装置に通知することができる。
【００７１】
［第５実施形態］
続いて、図１３を用いて、本発明の第５実施形態として示すアクティブタグ５０について説明をする。図１３に示すアクティブタグ５０は、図１１で示したアクティブタグ４０に、さらに、パッシブタイプの非接触情報媒体の機能を備えたパッシブタグ機能部５１を備えた構成となっている。
【００７２】
なお、アクティブタグ５０は、パッシブタグ機能部５１を備える以外は、上述したアクティブタグ４０と全く同じ構成であるため、重複する機能部については、同一符号を付し、説明を省略する。また、メモリ４、メモリ４４には、少なくとも、当該アクティブタグ５０を一意に特定するための識別ＩＤが格納されているものとする。
【００７３】
パッシブタグ機能部５１は、送受信部５２と、アンテナ５３と、当該アクティブタグ５０を一意に特定するためのメモリ４、メモリ４４に格納されている識別ＩＤと同じ識別ＩＤなどが格納されたメモリ５４とを備えている。
【００７４】
送受信部５２は、図示しない管理装置に対して所定の周波数の搬送波を介してアンテナ５３からＩＤデータを送信し、管理装置から送信され、アンテナ５３で受信した所定の周波数の搬送波から電磁誘導により電力を生成する。送受信部５２、アンテナ５３で生成された電力によって、パッシブタグ機能部５１は動作することになる。
【００７５】
このパッシブタグ機能部５１は、上述した、パッシブタグ機能部４１のように電池電源１の電圧低下に伴って動作するものではなく、アクティブタグ５０において、通常のデータ送信に用いられる。
【００７６】
図１４に、アクティブタグ５０が備えるアクティブタグ機能部７、パッシブタグ機能部４１、パッシブタグ機能部５１が動作する状態をまとめた状態図を示す。図１４に示すように、アクティブタグ機能部７は、電池電源１の電圧が通常時（ｖ１以上）にのみ動作する。また、パッシブタグ機能部４１は、電池電源１の電圧低下時（ｖ１未満）にのみ動作する。これに対して、パッシブタグ機能部５１は、通常時、電池電源１の電圧低下時にも動作する。さらに、パッシブタグ機能部５１は、通常時において、アクティブタグ機能部７が故障した場合にも動作し、電圧低下時において、パッシブタグ機能部４１が故障した場合にも動作する。
【００７７】
次に、図１５に示すフローチャートを用いて、アクティブタグ５０の動作について説明をする。アクティブタグ５０は、通常時、電池電源１によって動作するアクティブタグ機能部７が動作している。
【００７８】
ステップＳ４１において、電圧比較部５は、電池電源１の電圧値と、基準電圧ｖ１とを比較して、比較結果をＣＰＵ６に通知する。電圧値がｖ１以上である場合は、処理をステップＳ４２へと進め、ｖ１未満である場合には、処理をステップＳ４３へと進める。
【００７９】
ステップＳ４２において、ＣＰＵ６は、電圧比較部５によって通知された比較結果が電池電源１の電圧状態がｖ１以上であることに応じて、メモリ４から読み出した識別ＩＤを含むＩＤデータを生成する。ステップＳ４２の処理が終了すると、処理はステップＳ４４へと進む。
【００８０】
ステップＳ４３において、ＣＰＵ６は、パッシブタグ機能部４１のタグ機能切替部４５を制御して、当該アクティブタグ５０の機能をアクティブタグ機能部７からパッシブタグ機能部４１へと切り替え、パッシブタグ機能部４１を有効にする。
【００８１】
ステップＳ４４において、パッシブタグ機能部５１は、管理装置から送信される当該パッシブタグ機能部５１に対する質問電波の受信待機状態となる。パッシブタグ機能部５１が、この質問電波を受信した場合、処理をステップＳ４５へと進め、質問電波を受信しなかった場合は、処理をステップＳ４１へと戻す。
【００８２】
ステップＳ４５において、パッシブタグ機能部５１は、アンテナ５３を介して管理装置から送信された質問電波を受信したことに応じて、電磁誘導により動作電力を得る。そして、メモリ５４から読み出した識別ＩＤに、１ビット領域を付加したＩＤデータを生成する。例えば、電池電源１の電圧状態がｖ１以上であり、上述した通常動作可能状態であることを通知する場合には、付加する１ビット領域を“１”とし、電池電源１の電圧状態がｖ１未満であり、アクティブタグ４０の機能がアクティブタグ機能部７からパッシブタグ機能部４１に移行している場合には、管理装置に、通常動作不能状態或いは停止状態であることを通知するために、付加する１ビット領域を“０”とする。
【００８３】
ステップＳ４６において、パッシブタグ機能部４１は、タグ機能切替部４５によって有効とされたことに応じて、管理装置から送信される当該パッシブタグ機能部４１に対する質問電波の受信待機状態となる。パッシブタグ機能部４１が、この質問電波を受信した場合は、処理をステップＳ４７へと進め、質問電波を受信しなかった場合は処理をステップＳ４４へと戻す。
【００８４】
ステップＳ４７において、パッシブタグ機能４１は、アンテナ４３を介して管理装置からの質問電波を受信したことに応じて、電磁誘導により動作電力を得る。そして、メモリ４４から読み出した識別ＩＤに、１ビット領域を付加したＩＤデータを生成する。このとき、電池電源１の電圧状態がｖ１未満であり、アクティブタグ４０の機能がアクティブタグ機能部７からパッシブタグ機能部４１に移行していることから、管理装置に、通常動作不能状態或いは停止状態であることを通知するために、付加する１ビット領域を“０”とする。ステップＳ４７の処理が終了すると、処理はステップＳ４４へと戻り、パッシブタグ機能部５１の動作となる。
【００８５】
このようにして、アクティブタグ５０は、電池電源１の電圧値が低下して、電池電源１によって動作するアクティブタグ機能部７の動作が不安定になった場合、受信した電波から電磁誘導によって生成した電力で動作するパッシブタグ機能部４１に切り替わり、このパッシブタグ機能部４１によって電池電源１の交換要請を外部装置の管理装置に通知することができる。
【００８６】
アクティブタグ５０が備えるパッシブタグ機能部５１は、通常時、電圧低下時、通常時におけるアクティブタグ機能部７の故障、電圧低下時におけるパッシブタグ機能部４１の故障の際にも常に動作可能である。したがって、電池電源１の電圧値が低下していないため、パッシブタグ機能部４１が動作していない状態において、アクティブタグ機能部７も動作していないといったアクティブタグ機能部７の故障時にも、故障を早急に管理装置に通知することができる。
【００８７】
［第６実施形態］
続いて、図１６を用いて、本発明の第６実施形態として示すアクティブタグ４０を用いた入域管理システムについて説明をする。
【００８８】
この入域管理システムは、上述の第４実施形態として示したアクティブタグ４０と、入域を管理する管理装置６０とからなり、アクティブタグ４０を有する入域者の所定の管理領域への入域を管理する。アクティブタグ４０の詳細ついては、重複を避けるため説明を省略する。
【００８９】
管理装置６０は、アクティブタグ機能部７用の受信部６１と、パッシブタグ機能部４１用の送信部６２及び受信部６３と、入域者が管理領域へ近づいたことを検知する人感センサ６４と、当該管理装置６０による処理結果を音声にて通知する音声出力部６５と、当該管理装置６０の各部に電力を供給する電源６６と、当該管理装置６０を統括的に制御するＣＰＵ６７とを備えている。
【００９０】
次に、図１７に示すフローチャートを用いて、この入出管理システムの動作について説明をする。アクティブタグ４０は、電池電源１の電圧値がｖ１以上であり、通常時の動作をし、アクティブタグ機能部７が動作しているものとする。
【００９１】
ステップＳ５１において、管理装置６０の人感センサ６４に入域者が近付いたかどうかを判定する。人感センサ６４に反応があった場合は、処理をステップＳ５２へと進め、人感センサ６４に反応がない場合は、人感センサ６４が反応するのを待つ待機状態となる。
【００９２】
ステップＳ５２において、管理装置６０の受信部６１は、アクティブタグ機能部７からＩＤデータに含まれる識別ＩＤを受信する。識別ＩＤが正しく受信された場合は、処理をステップＳ５３へと進め、識別ＩＤが正しく受信されなかった場合は、処理をステップＳ５４へと進める。
【００９３】
ステップＳ５３において、ＣＰＵ６７は、受信部６１で識別ＩＤが正しく受信されたことに応じて、アクティブタグ４０を所有する入域者に対して、室内への入域を許可する正常入域処理を行う。
【００９４】
ステップＳ５４において、ＣＰＵ６７は、人感センサ６４に反応があったにも関わらず、受信部６１で識別ＩＤが正しく受信されなかったことに応じて、音声出力部６５を介して、例えば、「近づいて下さい」というような警告メッセージを出力させることで、パッシブタグ機能部４１の通信範囲に入域者が近づくことを促す。
【００９５】
ステップＳ５５において、ＣＰＵ６７は、送信部６２を制御して、パッシブタグ機能部４１に対する質問電波を送信する。
【００９６】
ステップＳ５６において、ＣＰＵ６７は、ステップＳ５５においてパッシブタグ機能部４１に送信した質問電波に対する応答電波を受信部６３で受信した場合、処理をステップＳ５７へと進め、受信できなかった場合、処理をステップＳ５８へと進める。
【００９７】
ステップＳ５７において、ＣＰＵ６７は、受信部６３で、パッシブタグ機能部４１からの応答電波を受信したことに応じて、アクティブタグ４０の電池電源１の電圧値がｖ１未満となっており、アクティブタグ機能部７の動作が停止されていること検知する。そして、ＣＰＵ６７は、音声出力部６５を介して、例えば、「電池がありません。交換して下さい」というような警告メッセージを出力させ、アクティブタグ４０を所有する入域者に対して室内への入域を許可する入域処理を行う。
【００９８】
ステップＳ５８において、ＣＰＵ６７は、受信部６３で、パッシブタグ機能部４１からの応答電波を受信できなかったことに応じて、人感センサ６４に反応した人物がアクティブタグ４０を所有していない不当な侵入者であると判断する。これに応じて、ＣＰＵ６７は、音声出力部６５を介して警報を鳴らしたり、警備会社などへの通報するなど、異常入域処理を実行する。
【００９９】
このようにして、第４実施形態として示したアクティブタグ４０を用いることで、電池電源１の交換時期を適切に通知すると共に、確実な入域管理を実行する入域管理システムを構築することができる。
【０１００】
なお、この入域管理システムは、アクティブタグ４０に替えて、第５実施形態として示すアクティブタグ５０を用いて構築することもできる。この場合、管理装置６０は、パッシブタグ機能部５１に対応した送信部及び受信部を備える。
【０１０１】
次に、図１８を用いて、上述した図１７で示したフローチャートのステップＳ５７における入域処理の一例を説明する。図１８に示すアクティブタグ供給装置７０は、電池電源１が切れてしまった古いアクティブタグ４０を回収し、十分な電気容量の電池電源１を備える新しいアクティブタグ４０を自動的に供給する装置である。このアクティブタグ供給装置７０は、上述した入域管理システムに動作が連動するように設置されることになる。
【０１０２】
図１８に示すように、アクティブタグ供給装置７０は、電池電源１が切れたアクティブタグ４０を投入するための投入口７１と、投入口７１から投入された古いアクティブタグ４０又は供給部７７から供給される新しいアクティブタグ４０が通過する通路７２と、新しいアクティブタグ４０が排出される排出口７３と、古いアクティブタグ４０を回収する回収部７４と、通路７２を通過した古いアクティブタグ４０を回収部７４へ導くためのガイド７５と、ガイド７５を制御する回収制御部７６と、新しいアクティブタグ４０が複数格納されている供給部７７と、供給部７７から新しいアクティブタグ４０を通路７２へ導くためのガイド７８と、ガイド７８を制御する供給制御部７９と、センサ８０と、アンテナ８１と、データベース８２と、ＣＰＵ８３と備えている。
【０１０３】
センサ８０は、通路７２に設けられており、投入口７１から投入された古いアクティブタグ４０或いは供給部７７から供給された新しいアクティブタグ４０が通過したことを検知しＣＰＵ８３に通知する。
【０１０４】
アンテナ８１は、センサ８０によってアクティブタグ４０が通路７２を通過したことを通知されたＣＰＵ８３によって生成されるアクティブタグ４０に対する質問電波を送信する。
【０１０５】
データベース８２は、投入口７１から投入された古いアクティブタグ４０の識別ＩＤと、新たに供給する新しいアクティブタグ４０の識別ＩＤとを、登録されているユーザのユーザ情報と対応づけて管理するためのデーベースである。これにより、ＣＰＵ８３は、アクティブタグ供給装置７０を統括的に制御することで、データベースに登録されているユーザ、及び識別ＩＤを管理して、ユーザの入域管理を行うことができる。
【０１０６】
このようなアクティブタグ供給装置７０は、入域管理システムの管理装置６０と連携して、上述したステップＳ５７の入域処理として以下に示すような動作を実行することになる。
【０１０７】
まず、入域管理システムにおいて、上述したステップＳ５７に処理が進んだ場合、管理装置６０のＣＰＵ６７は、音声出力部６５を介して、「電池がないので、お持ちのタグを投入して下さい」というようなメッセージを出力させ入域処理を開始する。これに応じて、ユーザは、アクティブタグ供給装置７０の投入口７１から、電池電源１の電圧値が低下したアクティブタグ４０を投入する。
【０１０８】
（古いアクティブタグ４０の回収動作）
投入されたアクティブタグ４０は、通路７２を通過することで、センサ８０によって検知される。センサ８０は、アクティブタグ４０を検知した旨をＣＰＵ８３に通知し、これに応じてＣＰＵ８３は、アンテナ８１からアクティブタグ４０内のパッシブタグ部に対して質問電波を送信する。アクティブタグ４０のパッシブタグ機能部４１は、通路７２の通過中に、アンテナ８１からの質問電波を受信して、識別ＩＤを含んだ応答電波を送信することになる。
【０１０９】
応答電波は、アンテナ８１を介してＣＰＵ８３に通知され、応答電波に含まれる識別ＩＤが管理装置６０で電池切れであると判定した識別ＩＤと一致する場合に、ＣＰＵ８３は、回収制御部７６を制御して回収部７４へアクティブタグ４０が回収されるようにガイド７５を動作させる。
【０１１０】
（新しいアクティブタグ４０の供給動作）
続いて、ＣＰＵ８３は、供給制御部７９を制御して供給部７７から、１個だけ新しいアクティブタグ４０が通路７２に供給されるようにガイド７８を動作させる。供給部７７から供給されたアクティブタグ４０は、通路７２を通過することで、センサ８０によって検知される。センサ８０は、アクティブタグ４０を検知した旨をＣＰＵ８３に通知し、これに応じて、ＣＰＵ８３は、アンテナ８１からアクティブタグ４０に対して質問電波を送信する。アクティブタグ４０のアクティブタグ機能７は、通路７２の通過中にアンテナ８１からの質問電波を受信して、識別ＩＤを含んだ応答電波を送信することになる。
【０１１１】
応答電波は、アンテナ８１を介してＣＰＵ８３に通知される。ＣＰＵ８３は、応答電波に含まれるこの識別ＩＤを、先程回収された古いアクティブタグ４０の識別ＩＤに対応していたユーザ情報などと新たに対応させるようにデータベースを更新する。
【０１１２】
供給部７７から供給された新しいアクティブタグ４０は、通路７２を通過して排出口７３から排出される。
【０１１３】
このようにして、アクティブタグ供給装置７０は、電圧値の低下した電池電源１を備える古いアクティブタグ４０を回収し、ユーザには、十分な電力を有する電池電源１を備える新しいアクティブタグ４０を供給する。このとき、データベース８２上のユーザ情報と識別ＩＤとの関係も自動的に更新される。
【０１１４】
なお、アクティブタグ供給装置７０は、第５実施形態として示すアクティブタグ５０を用いても全く同様に機能し、電圧値の低下した電池電源１を備える古いアクティブタグ５０を回収し、十分な容量を有する電池電源１を備えた新しいアクティブ５０を供給する。
【０１１５】
なお、上述の実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることは勿論である。
【図面の簡単な説明】
【０１１６】
【図１】本発明の第１の実施形態として示すアクティブタグの構成を示した図である。
【図２】電池電源の充放電特性を示した図である。
【図３】電圧比較回路の回路構成の一例を示した図である。
【図４】電圧比較回路の回路構成の別な例を示した図である。
【図５】第１の実施形態として示すアクティブタグの動作を説明するためのフローチャートである。
【図６】本発明の第２の実施形態として示すアクティブタグの構成を示した図である。
【図７】本発明の第２の実施形態として示すアクティブタグが備える入力検知部の一例を示した図である。
【図８】本発明の第２の実施形態として示すアクティブタグの動作を説明するためのフローチャートである。
【図９】本発明の第３の実施形態として示すアクティブタグの構成を示した図である。
【図１０】本発明の第３の実施形態として示すアクティブタグの動作を説明するためのフローチャートである。
【図１１】本発明の第４の実施形態として示すアクティブタグの構成を示した図である。
【図１２】本発明の第４の実施形態として示すアクティブタグの動作を説明するためのフローチャートである。
【図１３】本発明の第５の実施形態として示すアクティブタグの構成を示した図である。
【図１４】本発明の第５の実施形態として示すアクティブタグが備えるタグ機能部の動作状態を示した図である。
【図１５】本発明の第５の実施形態として示すアクティブタグの動作を説明するためのフローチャートである。
【図１６】本発明の第６の実施形態として示す入域管理システムの構成を示した図である。
【図１７】本発明の第６の実施形態として示す入域管理システムの動作を説明するためのフローチャートである。
【図１８】本発明の第６の実施形態として示す入域管理システムにおいて、電池切れとなったアクティブタグを回収し、新たなアクティブタグを供給するアクティブタグ供給装置の構成を示した図である。
【符号の説明】
【０１１７】
１  電池電源
２  送信部
３  アンテナ
４  メモリ
５  電圧比較部
６  ＣＰＵ（Central Processing Unit）
７  アクティブタグ機能部
１０，２０，４０，５０  アクティブタグ
４１  パッシブタグ機能部
５１  パッシブタグ機能部
６０  管理装置
７０  アクティブタグ供給装置
【図１】
2005251103.tif 000003
【図２】
2005251103.tif 000004
【図３】
2005251103.tif 000005
【図４】
2005251103.tif 000006
【図５】
2005251103.tif 000007
【図６】
2005251103.tif 000008
【図７】
2005251103.tif 000009
【図８】
2005251103.tif 000010
【図９】
2005251103.tif 000011
【図１０】
2005251103.tif 000012
【図１１】
2005251103.tif 000013
【図１２】
2005251103.tif 000014
【図１３】
2005251103.tif 000015
【図１４】
2005251103.tif 000016
【図１５】
2005251103.tif 000017
【図１６】
2005251103.tif 000018
【図１７】
2005251103.tif 000019
【図１８】
2005251103.tif 000020